(57)【特許請求の範囲】
【請求項１】
主軸に設けられたラチェットホイールと、
前記ラチェットホイールの回転を阻止するラチェットポールと
を備え、
前記ラチェットホイールは、
外周部に複数の歯が形成されたホイール本体と、
前記主軸に固定されたボスと、
前記ホイール本体に対する前記ボスの回転を制動する回転制動部と
を有し、
前記回転制動部は、前記ホイール本体および前記ボスの何れか一方に設けられ、前記ホイール本体および前記ボスの他方の側面に接触する摩擦部材を有し、
前記摩擦部材は、前記ラチェットホイールの回転方向について前記ホイール本体に対して前記ボスが回転するにつれて、前記他方の側面における前記摩擦部材に接触される面積が大きくなるように、配置されている乗客コンベヤの非常制動装置。
【請求項２】
前記摩擦部材は、前記他方の両側面に接触する請求項１に記載の乗客コンベヤの非常制動装置。
【発明の詳細な説明】
【技術分野】
【０００１】
この発明は、ラチェットホイールを備えた乗客コンベヤの非常制動装置に関する。
【背景技術】
【０００２】
従来、主軸に設けられたラチェットホイールと、ラチェットホイールの回転を阻止するラチェットポールとを備えたエスカレータの非常制動装置が知られている。ラチェットホイールは、主軸を中心に径方向に隙間をあけて順に設けられた４個の円環形状の円板と、径方向に互いに隣接した円板の隙間に設けられ、径方向に互いに隣接した円板の間に摩擦力を発生させる摩擦部材とを有している。４個の円板の中で最も径方向内側に配置された円板は、主軸に固定されている。４個の円板の中で最も径方向外側に配置された円板には、ラチェットポールが当たる複数の歯が形成されている。ラチェットポールが歯に当たった場合に主軸に作用する制動力は、歯に対して主軸が回転するにつれてより大きくなる（例えば、特許文献１参照）。
【先行技術文献】
【特許文献】
【０００３】
【特許文献１】特開２０１３−２２７１１７号公報
【発明の概要】
【発明が解決しようとする課題】
【０００４】
しかしながら、特許文献１に記載のエスカレータの非常制動装置では、ラチェットホイールの構造が複雑であるという課題があった。【０００５】
この発明は、上述のような課題を解決するためになされたものであり、その目的は、ラチェットポールが歯に当たった場合に主軸に作用する制動力を、歯に対して主軸が回転するにつれてより大きくするとともに、ラチェットホイールの構造を簡単化することができる乗客コンベヤの非常制動装置を提供するものである。
【課題を解決するための手段】
【０００６】
この発明に係る乗客コンベヤの非常制動装置は、主軸に設けられたラチェットホイールと、ラチェットホイールの回転を阻止するラチェットポールとを備え、ラチェットホイールは、外周部に複数の歯が形成されたホイール本体と、主軸に固定されたボスと、ホイール本体に対するボスの回転を制動する回転制動部とを有し、回転制動部は、ホイール本体およびボスの何れか一方に設けられ、ホイール本体およびボスの他方の側面に接触する摩擦部材を有し、摩擦部材は、ラチェットホイールの回転方向についてホイール本体に対してボスが回転するにつれて、他方の側面における摩擦部材に接触される面積が大きくなるように、配置されている。
【発明の効果】
【０００７】
この発明に係る乗客コンベヤの非常制動装置によれば、摩擦部材は、ラチェットホイールの回転方向についてホイール本体に対してボスが回転するにつれて、他方の側面における摩擦部材に接触される面積が大きくなるように、配置されている。これにより、ラチェットポールが歯に当たった場合に主軸に作用する制動力を、歯に対して主軸が回転するにつれてより大きくするとともに、ラチェットホイールの構造を簡単化することができる。
【図面の簡単な説明】
【０００８】
【図１】この発明の実施の形態１に係るエスカレータを示す側面図である。
【図２】図１のエスカレータの要部を示す拡大図である。
【図３】図２のＡ部を示す拡大図である。
【図４】図２のＢ部を示す拡大図である。
【図５】図２のＣ部を示す拡大図である。
【発明を実施するための形態】
【０００９】
実施の形態１．
図１は、この発明の実施の形態１に係るエスカレータを示す側面図である。図２は、図１のエスカレータの要部を示す拡大図である。乗客コンベヤであるエスカレータは、上階側階床と下階側階床とに渡って設けられた主枠１と、主枠１に設けられたモータ２と、モータ２の動力が伝達される減速機３と、減速機３を介してモータ２の動力が伝達される駆動スプロケット４とを備えている。モータ２、減速機３および駆動スプロケット４は、主枠１における上階側水平部に配置されている。モータ２の動力が駆動スプロケット４に伝達されることによって、駆動スプロケット４が回転する。
【００１０】
また、エスカレータは、駆動スプロケット４に巻き掛けられたドライブチェーン５と、ドライブチェーン５が巻き掛けられたメインスプロケット６と、メインスプロケット６に対して固定された主軸７とを備えている。ドライブチェーン５、メインスプロケット６および主軸７は、主枠１における上階側水平部に配置されている。駆動スプロケット４が回転することによって、ドライブチェーン５が循環移動する。ドライブチェーン５が循環移動することによって、メインスプロケット６が回転する。メインスプロケット６が回転することによって、主軸７が回転する。
【００１１】
また、エスカレータは、主軸７に対して固定されたラチェットホイール８と、主軸７に対して固定された上部踏段スプロケット９とを備えている。ラチェットホイール８および上部踏段スプロケット９は、主枠１における上階側水平部に配置されている。また、エスカレータは、上部踏段スプロケット９に巻き掛けられ循環移動する踏段チェーン１０と、踏段チェーン１０が巻き掛けられた下部踏段スプロケット１１とを備えている。下部踏段スプロケット１１は、主枠１における下階側水平部に配置されている。主軸７が回転することによって、上部踏段スプロケット９が回転する。上部踏段スプロケット９が回転することによって、下部踏段スプロケット１１が回転するとともに、踏段チェーン１０が循環移動する。
【００１２】
また、エスカレータは、主枠１に設けられた複数の踏段１２と、踏段１２の幅方向について互いに対向して設けられた一対の欄干１３とを備えている。複数の踏段１２は、踏段チェーン１０によって互いに連結されている。踏段チェーン１０が循環移動することによって、複数の踏段１２が循環移動する。
【００１３】
また、エスカレータは、主枠１に回転可能に支持された連結軸１４と、連結軸１４に固定されたラチェットポール１５と、連結軸１４に固定されたシューレバー１６と、シューレバー１６に支持されたシュー１７とを備えている。連結軸１４は、主軸７に沿って延びて配置されている。ラチェットポール１５は、ラチェットポール１５がラチェットホイール８に当たる制動位置と、ラチェットポール１５がラチェットホイール８から離れる解除位置との間で変位する。ラチェットポール１５は、連結軸１４が回転することによって、制動位置と解除位置との間で変位する。ラチェットポール１５がラチェットホイール８に当たることによって、ラチェットホイール８の回転が阻止される。
【００１４】
シュー１７は、ドライブチェーン５の上に載せられている。ドライブチェーン５が破断した場合に、シュー１７が下方に移動する。シュー１７が下方に移動することによって、シューレバー１６が回転する。シューレバー１６が回転することによって、連結軸１４が回転する。したがって、ドライブチェーン５が破断した場合に、ラチェットポール１５が解除位置から制動位置に移動する。
【００１５】
ラチェットホイール８は、外周部に複数の歯８１１が形成された円環形状のホイール本体８１と、主軸７に固定された円環形状のボス８２と、ホイール本体８１に対するボス８２の回転を制動する回転制動部８３とを備えている。ラチェットポール１５の位置が制動位置である場合に、ラチェットポール１５が歯８１１に当たる。これにより、ホイール本体８１の回転が阻止される。
【００１６】
図３は、図２のＡ部を示す拡大図である。ボス８２は、円環形状に形成されたボス本体８２１と、ボス本体８２１の外周部から径方向外側に延びる径方向延部８２２と、径方向延部８２２の先端部から周方向Ｄに延びる周方向延部８２３とを備えている。周方向延部８２３が延びる周方向Ｄは、ラチェットホイール８の回転方向となっている。図２に示すように、ボス８２は、複数の径方向延部８２２および複数の周方向延部８２３を備えている。複数の径方向延部８２２および複数の周方向延部８２３は、周方向に等間隔に並べて配置されている。
【００１７】
図３に示すように、ホイール本体８１は、歯８１１が形成されたホイール部８１２と、ホイール部８１２の内周部から径方向内側に延びる径方向延部８１３と、径方向延部８１３の先端部から周方向Ｅに延びる周方向延部８１４とを備えている。周方向延部８１４が延びる周方向Ｅは、ラチェットホイール８の回転方向とは反対の方向となっている。図２に示すように、ホイール本体８１は、複数の径方向延部８１３および複数の周方向延部８１４を備えている。複数の径方向延部８１３および複数の周方向延部８１４は、周方向に等間隔に並べて配置されている。
【００１８】
図３に示すように、ボス本体８２１と周方向延部８２３との間に周方向延部８１４が配置されている。ホイール部８１２と周方向延部８１４との間に周方向延部８２３が配置されている。
【００１９】
回転制動部８３は、ホイール本体８１に設けられた摩擦部材８３１を備えている。摩擦部材８３１は、ホイール部８１２と周方向延部８１４とに渡って設けられた一対の摩擦板８３２と、一対の摩擦板８３２をホイール部８１２および周方向延部８１４に対して固定する締付具８３３とを備えている。一対の摩擦板８３２は、ボス８２の板厚方向についてボス８２を挟むように配置されている。一対の摩擦板８３２は、周方向延部８２３の両側面に接触している。一対の摩擦板８３２は、ホイール本体８１における周方向に等間隔に並べられた４箇所の部分のそれぞれに設けられている。周方向延部８２３の側面に対する摩擦板８３２の摩擦力によって、ホイール本体８１がボス８２に保持される。ホイール本体８１がボス８２に保持されることによって、ラチェットポール１５が歯８１１に当たっていない場合に、ホイール本体８１がボス８２とともに回転する。締付具８３３は、ボルトと、ナットとから構成されている。
【００２０】
図４は、図２のＢ部を示す拡大図である。摩擦部材８３１は、ホイール部８１２と周方向延部８１４とに渡って設けられた一対の摩擦板８３４と、一対の摩擦板８３４をホイール部８１２および周方向延部８１４に対して固定する締付具８３５とを備えている。一対の摩擦板８３４は、ボス８２の板厚方向についてボス８２を挟むように配置されている。一対の摩擦板８３４は、ラチェットポール１５が歯８１１に当たっていない場合に、ラチェットホイール８の回転方向について周方向延部８２３よりも前方側に配置される。ホイール本体８１に対してボス８２が回転した場合に、一対の摩擦板８３４の間に周方向延部８２３が配置される。この場合に、一対の摩擦板８３４は、周方向延部８２３の両側面に接触する。したがって、摩擦部材８３１は、ラチェットホイール８の回転方向についてホイール本体８１に対してボス８２が回転するにつれて、ボス８２の側面における摩擦部材８３１に接触される面積が大きくなるように、配置されている。一対の摩擦板８３４は、ホイール本体８１における主軸７を挟む２箇所の部分のそれぞれに設けられている。締付具８３５は、ボルトと、ナットとから構成されている。
【００２１】
図５は、図２のＣ部を示す拡大図である。摩擦部材８３１は、ホイール部８１２と周方向延部８１４とに渡って設けられた一対の摩擦板８３６と、一対の摩擦板８３６をホイール部８１２および周方向延部８１４に対して固定する締付具８３７とを備えている。一対の摩擦板８３６は、ボス８２の板厚方向についてボス８２を挟むように配置されている。一対の摩擦板８３６は、ラチェットポール１５が歯８１１に当たっていない場合に、ラチェットホイール８の回転方向について周方向延部８２３よりも前方側に配置される。ホイール本体８１に対してボス８２が回転し、一対の摩擦板８３４の間に周方向延部８２３が配置され、その後、さらにホイール本体８１に対してボス８２が回転した場合に、一対の摩擦板８３６の間に周方向延部８２３が配置される。この場合に、一対の摩擦板８３６は、周方向延部８２３の両側面に接触する。したがって、摩擦部材８３１は、ラチェットホイール８の回転方向についてホイール本体８１に対してボス８２が回転するにつれて、ボス８２の側面における摩擦部材８３１に接触される面積が大きくなるように、配置されている。一対の摩擦板８３６は、ホイール本体８１における主軸７を挟む２箇所の部分のそれぞれに設けられている。締付具８３７は、ボルトと、ナットとから構成されている。
【００２２】
エスカレータの非常制動装置は、ラチェットホイール８と、連結軸１４と、ラチェットポール１５と、シューレバー１６と、シュー１７とから構成されている。
【００２３】
次に、エスカレータの非常制動装置の動作について説明する。ドライブチェーン５が破断した場合には、ラチェットポール１５が解除位置から制動位置に移動する。これにより、ホイール本体８１の歯８１１がラチェットポール１５に当たる。その結果、ホイール本体８１の回転が阻止される。
【００２４】
ホイール本体８１の回転が阻止されることによって、ホイール本体８１に対してボス８２が回転する。これにより、周方向延部８２３が一対の摩擦板８３４の間に配置される。その結果、ラチェットホイール８の回転方向についてホイール本体８１に対してボス８２が回転するにつれて、ボス８２の側面における摩擦部材８３１に接触される面積が大きくなる。これにより、ラチェットホイール８の回転方向についてホイール本体８１に対してボス８２が回転するにつれて、ボス８２の側面と摩擦部材８３１との間に発生する摩擦力が大きくなる。したがって、回転制動部８３による主軸７の制動力が大きくなる。
【００２５】
その後、さらにホイール本体８１に対してボス８２が回転する。これにより、周方向延部８２３が一対の摩擦板８３６の間に配置される。その結果、ラチェットホイール８の回転方向についてホイール本体８１に対してボス８２が回転するにつれて、ボス８２の側面における摩擦部材８３１に接触される面積がさらに大きくなる。これにより、ラチェットホイール８の回転方向についてホイール本体８１に対してボス８２が回転するにつれて、ボス８２の側面と摩擦部材８３１との間に発生する摩擦力がさらに大きくなる。したがって、回転制動部８３による主軸７の制動力がさらに大きくなる。
【００２６】
その後、さらにホイール本体８１に対してボス８２が回転する。これにより、周方向延部８２３が径方向延部８１３に当たり、また、周方向延部８１４が径方向延部８２２に当たる。言い換えれば、ラチェットホイール８の回転方向についてホイール本体８１に対してボス８２が当たる。これにより、ホイール本体８１に対するボス８２の回転が停止される。その結果、主軸７の回転が停止される。これにより、踏段１２の移動が停止される。
【００２７】
以上説明したように、この発明の実施の形態１に係るエスカレータの非常制動装置によれば、ラチェットホイール８は、ホイール本体８１と、主軸７に固定されたボス８２と、ホイール本体８１に対するボス８２の回転を制動する回転制動部８３とを有している。回転制動部８３は、ホイール本体８１に設けられボス８２の側面に接触する摩擦部材８３１を有している。摩擦部材８３１は、ホイール本体８１に対してボス８２が回転するにつれて、ボス８２における摩擦部材８３１に接触される面積が大きくなるように、配置されている。これにより、ラチェットポール１５が歯８１１に当たった場合に主軸７に作用する制動力を、歯８１１に対して主軸７が回転するにつれてより大きくすることができる。その結果、エスカレータの非常制動装置が踏段１２の移動を停止させる時の乗客への衝撃を緩和させることができる。また、ラチェットホイール８は、円環形状に形成されたホイール本体８１と、円環形状に形成されたボス８２と、回転制動部８３とを有している。これにより、４個の円環形状の円板を有する従来のラチェットホイールと比較して、ラチェットホイール８の構造を簡単化することができる。
【００２８】
また、摩擦部材８３１は、ボス８２の両側面に接触する。これにより、ボス８２に対する摩擦部材８３１の摩擦力を増加させることができる。
【００２９】
なお、上記実施の形態１では、乗客コンベヤとしてエスカレータを例に説明した。しかしながら、これに限らず、動く歩道であってもよい。
【００３０】
また、上記実施の形態１では、摩擦部材８３１がホイール本体８１に設けられた構成について説明した。しかしながら、これに限らず、摩擦部材８３１がボス８２に設けられた構成であってもよい。この場合、摩擦部材８３１は、周方向延部８１４の側面に接触する。
【００３１】
また、上記実施の形態１では、摩擦部材８３１が、摩擦板８３２、摩擦板８３４および摩擦板８３６を備えた構成について説明した。しかしながら、これに限らず、摩擦部材８３１は、ラチェットホイール８の回転方向についてホイール本体８１に対してボス８２が回転するにつれて、ボス８２の側面における摩擦部材８３１に接触される面積が大きくなる構成であればよい。
【符号の説明】
【００３２】
１  主枠、２  モータ、３  減速機、４  駆動スプロケット、５  ドライブチェーン、６  メインスプロケット、７  主軸、８  ラチェットホイール、９  上部踏段スプロケット、１０  踏段チェーン、１１  下部踏段スプロケット、１２  踏段、１３  欄干、１４  連結軸、１５  ラチェットポール、１６  シューレバー、１７  シュー、８１  ホイール本体、８２  ボス、８３  回転制動部、８１１  歯、８１２  ホイール部、８１３  径方向延部、８１４  周方向延部、８２１  ボス本体、８２２  径方向延部、８２３  周方向延部、８３１  摩擦部材、８３２  摩擦板、８３３  締付具、８３４  摩擦板、８３５  締付具、８３６  摩擦板、８３７  締付具。
【図１】
0006949240.tif 000002
【図２】
0006949240.tif 000003
【図３】
0006949240.tif 000004
【図４】
0006949240.tif 000005
【図５】
0006949240.tif 000006